(57)【要約】【課題】読取センサとシートとの距離を安定させつつ、シート詰まりを低減する。【解決手段】読取センサは透過部（２８）を通してシートから画像情報を読取る。読取センサ及び透過部（２８）を保持する保持部材（２７）は、フレーム体（１１０）に対してシートの厚さ方向に揺動可能であり、付勢手段によって透過部（２８）に対向する対向部材へ向かって付勢されている。保持部材（２７）と、フレーム体（１１０）に固定され保持部材（２７）に隣接する固定ガイド（１１２）とは、それぞれ幅方向における複数の位置に凹凸が形成された凹凸部（１１１，２７３）を有する。保持部材（２７）は、凹凸部（１１１，２７３）が組み合わさった状態で固定ガイド（１１２）に対して揺動可能である。【選択図】図６
2018125616.tif 000002
【特許請求の範囲】
【請求項１】
フレーム体と、
シートをシート搬送方向に搬送するシート搬送手段と、
前記フレーム体に支持され、前記シート搬送手段によって搬送されるシートの第１面に対向する対向部材と、
前記対向部材との間にシート搬送路を形成する透過部を有し、前記フレーム体により、前記シート搬送手段によって搬送されるシートの厚さ方向に揺動可能に支持された保持部材と、
前記保持部材に保持され、前記シート搬送路を通過するシートの前記第１面とは反対の第２面から前記透過部を通して画像情報を読み取る読取センサと、
前記保持部材を前記厚さ方向において前記対向部材へ向けて付勢する付勢手段と、
前記フレーム体に固定され、前記シート搬送方向における前記保持部材の上流又は下流に隣接し、前記シート搬送手段によって搬送されるシートの前記第２面を案内する固定ガイドと、を備え、
前記固定ガイドは、前記シート搬送方向に直交する幅方向における複数の位置に前記シート搬送方向の凹凸が形成された第１凹凸部を有し、
前記保持部材は、前記シート搬送方向における前記透過部と前記固定ガイドとの間に、前記第１凹凸部に組み合わさる複数の凹凸が形成された第２凹凸部を有し、前記第２凹凸部が前記第１凹凸部と組み合わさった状態で前記厚さ方向に揺動可能である、
ことを特徴とする画像読取装置。
【請求項２】
前記対向部材が光を透過する透明部材であり、
前記透明部材に対して前記読取センサとは反対側に配置され、前記シート搬送路を通過するシートの前記第１面から前記透明部材を通して画像情報を読み取る他の読取センサを備える、
ことを特徴とする、請求項１に記載の画像読取装置。
【請求項３】
前記フレーム体は、前記透明部材を支持する本体フレームと、前記保持部材及び前記固定ガイドを支持し、前記本体フレームに対して開閉可能な開閉フレームと、を含み、
前記第２凹凸部は、前記開閉フレームが閉じた状態で前記透明部材に対向する位置に配置され、
前記開閉フレームには、前記開閉フレームが閉じた状態で前記透明部材に当接することで、前記厚さ方向に関して前記第２凹凸部を前記透明部材に対して位置決め可能な当接部が設けられる、
ことを特徴とする、請求項２に記載の画像読取装置。
【請求項４】
前記当接部が第１の当接部であり、
前記保持部材には、前記開閉フレームが閉じた状態で前記透明部材に当接することで、前記厚さ方向に関して前記透過部を前記透明部材に対して位置決め可能な第２の当接部が設けられる、
ことを特徴とする、請求項３に記載の画像読取装置。
【請求項５】
前記第１凹凸部は、前記シート搬送方向に沿って延びるリブ状部材を有し、
前記第２凹凸部は、前記リブ状部材に係合可能な凹形状を有する、
ことを特徴とする、請求項１乃至４のいずれか１項に記載の画像読取装置。
【請求項６】
前記保持部材は、前記読取センサを収容する収容部と、前記収容部に支持され、前記透過部が嵌め込まれる支持枠部と、を有し、
前記第２凹凸部が前記支持枠部に配置される、
ことを特徴とする、請求項１乃至５のいずれか１項に記載の画像読取装置。
【請求項７】
前記固定ガイドが前記シート搬送方向における前記保持部材の下流に配置され、
前記支持枠部は、前記幅方向から視て、前記対向部材と略平行に延びる平面部と、前記平面部から前記シート搬送方向の下流へ向かって前記対向部材から離間する方向に傾斜した傾斜部と、を有し、
前記第２凹凸部は、前記幅方向から視て、前記傾斜部に沿った方向に延びている、
ことを特徴とする、請求項６に記載の画像読取装置。
【請求項８】
前記シート搬送手段は、前記シート搬送方向において前記保持部材の上流に配置された第１搬送ローラ対と、前記保持部材の下流に配置された第２搬送ローラ対と、を含み、
前記保持部材及び前記固定ガイドは、前記第１搬送ローラ対及び前記第２搬送ローラ対の間で、前記シート搬送路を搬送されるシートの前記第１面が凸状となるように湾曲したガイド面を構成し、
前記シート搬送路を介してシートを搬送する際の前記第２搬送ローラ対の周速が、前記第１搬送ローラ対の周速に比べて大きい、
ことを特徴とする、請求項１乃至７のいずれか１項に記載の画像読取装置。
【請求項９】
フレーム体と、
シートをシート搬送方向に搬送するシート搬送手段と、
前記フレーム体に支持され、前記シート搬送手段によって搬送されるシートの第１面に対向する透明部材と、
前記透明部材との間にシート搬送路を形成し、前記シート搬送路を通過するシートの前記第１面とは反対の第２面に対向する対向部を有し、前記フレーム体により、前記シート搬送手段によって搬送されるシートの厚さ方向に揺動可能に支持された揺動部材と、
前記シート搬送路を通過するシートの前記第１面から前記透明部材を通して画像を読み取る読取センサと、
前記揺動部材を前記厚さ方向において前記透明部材へ向けて付勢する付勢手段と、
前記フレーム体に固定され、前記シート搬送方向における前記揺動部材の上流又は下流に隣接し、前記シート搬送手段によって搬送されるシートの前記第２面を案内する固定ガイドと、を備え、
前記固定ガイドは、前記シート搬送方向に直交する幅方向における複数の位置に前記シート搬送方向の凹凸が形成された第１凹凸部を有し、
前記揺動部材は、前記シート搬送方向における前記対向部と前記固定ガイドとの間に、前記第１凹凸部に組み合わさる複数の凹凸が形成された第２凹凸部を有し、前記第２凹凸部が前記第１凹凸部と組み合わさった状態で前記厚さ方向に揺動可能である、
ことを特徴とする画像読取装置。
【請求項１０】
請求項１乃至９のいずれか１項に記載の画像読取装置と、
前記画像読取装置によって読取られた画像情報に基づいて、記録媒体に画像を形成する画像形成手段と、を備える、
ことを特徴とする、画像形成装置。
【発明の詳細な説明】
【技術分野】
【０００１】
本発明は、画像読取装置及びこれを備えた画像形成装置に関する。
【背景技術】
【０００２】
従来、原稿トレイ等に積載された原稿を１枚ずつ自動的に給送して搬送しながら原稿から画像情報を読取可能な画像読取装置が広く用いられている。このような画像読取装置には、通常、原稿搬送路を形成する透明部材及びこれに対向する対向部材と、原稿搬送路を通過する原稿を透明部材を通して走査して画像情報を読取る読取センサとが設けられる。
【０００３】
特許文献１には、原稿搬送装置によって搬送される原稿からコンタクトガラスを通して画像情報を読取る読取ユニットを備えた画像読取装置が記載されている。この画像読取装置は、コンタクトガラスに対向する押え枠を有し、この押え枠がバネによってコンタクトガラスに向けて付勢されることで、コンタクトガラスに対する原稿の浮き上がりが抑制される。
【先行技術文献】
【特許文献】
【０００４】
【特許文献１】特開２０１２−１５１５７０号公報
【発明の概要】
【発明が解決しようとする課題】
【０００５】
ところで、原稿となるシートと読取センサとの間の距離を安定させる方法としては、読取センサの保持部材を揺動可能として対向部材へ向けて付勢する構成と、対向部材を揺動可能として透明部材へ向けて付勢する構成とが考えられる。しかしながら、このような構成を採用した場合に、シート搬送路に対向する部材の中で画像読取装置のフレームに対して揺動可能な部材とフレームに固定された部材との境界に原稿が引っ掛かり、シート詰まりが発生する虞があった。
【０００６】
そこで、本発明は、読取センサとシートとの距離を安定させつつ、シート詰まりを低減可能な画像読取装置、及びこれを備えた画像形成装置を提供することを目的とする。
【課題を解決するための手段】
【０００７】
本発明に係る画像読取装置は、フレーム体と、シートをシート搬送方向に搬送するシート搬送手段と、前記フレーム体に支持され、前記シート搬送手段によって搬送されるシートの第１面に対向する対向部材と、前記対向部材との間にシート搬送路を形成する透過部を有し、前記フレーム体により、前記シート搬送手段によって搬送されるシートの厚さ方向に揺動可能に支持された保持部材と、前記保持部材に保持され、前記シート搬送路を通過するシートの前記第１面とは反対の第２面から前記透過部を通して画像情報を読み取る読取センサと、前記保持部材を前記厚さ方向において前記対向部材へ向けて付勢する付勢手段と、前記フレーム体に固定され、前記シート搬送方向における前記保持部材の上流又は下流に隣接し、前記シート搬送手段によって搬送されるシートの前記第２面を案内する固定ガイドと、を備え、前記固定ガイドは、前記シート搬送方向に直交する幅方向における複数の位置に前記シート搬送方向の凹凸が形成された第１凹凸部を有し、前記保持部材は、前記シート搬送方向における前記透過部と前記固定ガイドとの間に、前記第１凹凸部に組み合わさる複数の凹凸が形成された第２凹凸部を有し、前記第２凹凸部が前記第１凹凸部と組み合わさった状態で前記厚さ方向に揺動可能である、ことを特徴とする。
【０００８】
また、本発明の他の態様に係る画像読取装置は、フレーム体と、シートをシート搬送方向に搬送するシート搬送手段と、前記フレーム体に支持され、前記シート搬送手段によって搬送されるシートの第１面に対向する透明部材と、前記透明部材との間にシート搬送路を形成し、前記シート搬送路を通過するシートの前記第１面とは反対の第２面に対向する対向部を有し、前記フレーム体により、前記シート搬送手段によって搬送されるシートの厚さ方向に揺動可能に支持された揺動部材と、前記シート搬送路を通過するシートの前記第１面から前記透明部材を通して画像を読み取る読取センサと、前記揺動部材を前記厚さ方向において前記透明部材へ向けて付勢する付勢手段と、前記フレーム体に固定され、前記シート搬送方向における前記揺動部材の上流又は下流に隣接し、前記シート搬送手段によって搬送されるシートの前記第２面を案内する固定ガイドと、を備え、前記固定ガイドは、前記シート搬送方向に直交する幅方向における複数の位置に前記シート搬送方向の凹凸が形成された第１凹凸部を有し、前記揺動部材は、前記シート搬送方向における前記対向部と前記固定ガイドとの間に、前記第１凹凸部に組み合わさる複数の凹凸が形成された第２凹凸部を有し、前記第２凹凸部が前記第１凹凸部と組み合わさった状態で前記厚さ方向に揺動可能である、ことを特徴とする。
【発明の効果】
【０００９】
本発明によると、読取センサとシートとの距離を安定させつつ、シート詰まりを低減可能である。
【図面の簡単な説明】
【００１０】
【図１】本開示に係る画像読取装置及び画像形成装置の構成を示す概略図（ａ）、並びに画像形成エンジンの構成を示す概略図（ｂ）。
【図２】本開示に係る画像読取装置の斜視図。
【図３】本開示に係る画像読取装置の要部を示す拡大図。
【図４】第１の参考構成を示す拡大図。
【図５】第１の参考構成における読取ユニットの傾きについて説明するための拡大図。
【図６】本開示に係る画像読取装置の内部を図３に示す矢印Ｙ方向から視た斜視図。
【図７】第２の参考構成を示す拡大図。
【発明を実施するための形態】
【００１１】
以下、本開示に係る画像読取装置及び画像形成装置について、図面を参照しながら説明する。
【００１２】
［全体構成］
まず、画像形成装置の一例であるプリンタ１００の概略について説明する。プリンタ１００は、電子写真方式のレーザビームプリンタである。プリンタ１００は、図１（ａ）に示すように、プリンタ本体７０と、プリンタ本体７０の上部に装着される画像読取部１０と、を備えている。なお、以下において、シートとは、普通紙の他にも、コート紙等の特殊紙、封筒やインデックス紙等の特殊形状からなる記録材、及びオーバーヘッドプロジェクタ用のプラスチックフィルムや布などを含むものとする。
【００１３】
プリンタ本体７０は、筐体７０Ａの内部に画像形成エンジン６０を有している。画像形成エンジン６０は、図１（ｂ）に示すように、電子写真方式の画像形成ユニットＰＵと、定着装置７と、を備えている。画像形成動作の開始が指令されると、感光体である感光ドラム１が回転し、ドラム表面が帯電装置２によって一様に帯電される。すると、露光装置３が画像読取部１０又は外部のコンピュータから送信された画像データに基づいてレーザ光を変調して出力し、感光ドラム１の表面を走査して静電潜像を形成する。この静電潜像は、現像装置４から供給されるトナーによって可視化（現像）されてトナー像となる。
【００１４】
このような画像形成動作に並行して、不図示のカセット又は手差しトレイに積載されたシートを画像形成エンジン６０へ向けて給送する給送動作が実行される。給送されたシートは、画像形成ユニットＰＵによる画像形成動作の進行に合わせて搬送される。そして、感光ドラム１に担持されたトナー像は、転写ローラ５によってシートに転写される。トナー像転写後に感光ドラム１上に残ったトナーは、クリーニング装置６によって回収される。未定着のトナー像が転写されたシートは、定着装置７へと受け渡されて、ローラ対に挟持されて加熱及び加圧される。トナーがシートに対して溶融及び固着して画像が定着したシートは、排出ローラ対によって筐体７０Ａの外部に排出される。なお、両面印刷を行う場合、定着装置７を通過したシートは、反転搬送部８によって反転した状態で再び画像形成ユニットＰＵへ向けて搬送され、裏面に画像を形成された後に筐体７０Ａの外部に排出される。
【００１５】
また、プリンタ本体７０には制御部８０が搭載されている。制御部８０は、プリンタ１００を統括制御する中央処理装置（ＣＰＵ）と、ＣＰＵが実行するプログラムや画像情報及び設定情報を記憶するメモリを含む。制御部８０は、画像形成エンジン６０を制御して、記録媒体であるシートに画像を形成させる画像形成動作を実行可能である。
【００１６】
なお、画像形成エンジン６０は、記録媒体としてのシートに画像を形成可能な画像形成手段の一例であり、上述の直接転写方式に代えて中間転写体を含む中間転写方式の構成を用いてもよく、インクジェット方式等の他の機構を用いてもよい。
【００１７】
［画像読取部］
次に、画像読取装置の一例である画像読取部１０について説明する。画像読取部１０は、図２に示すように、原稿トレイ１４に載置された原稿を自動的に給送するＡＤＦ１１と、原稿台ガラスを備えたスキャナ部１２と、を備えている。シート給送装置の一例であるＡＤＦ１１（Ａｕｔｏ  Ｄｏｃｕｍｅｎｔ  Ｆｅｅｄｅｒ）は、原稿台ガラスが開放可能となるように、ヒンジによってスキャナ部１２に対して回動可能に支持されている。即ち、画像読取部１０のフレーム体は、スキャナ部１２を構成する本体フレームと、ＡＤＦ１１を構成し、本体フレームに対して開閉可能な開閉フレームとによって構成される。なお、原稿として用いられるシートは、白紙でも、片面又は両面に画像が形成されていてもよい。
【００１８】
図１（ａ）に示すように、ＡＤＦ１１は、原稿Ｄ１が載置される原稿トレイ１４と、原稿トレイ１４から給送された原稿Ｄ１を搬送する原稿搬送部１５と、原稿Ｄ１が排出される排出トレイ２９と、を備えている。原稿搬送部１５は、略Ｕ字状に湾曲した原稿搬送路（Ｕターンパス）２２を有する。原稿搬送部１５には、この原稿搬送路２２に沿ってピックアップローラ１７、分離ローラ１８、分離パッド１９、原稿ストッパ２０、原稿有無センサ２１、搬送ローラ対２３、排出ローラ対２４、及び原稿エッジセンサ２５が配置されている。
【００１９】
ＡＤＦ１１及びスキャナ部１２には、それぞれ原稿Ｄ１から画像情報を読取り可能な読取センサ１６，２６が配置されている。読取センサ１６，２６としては、密着型イメージセンサが用いられている。即ち、読取センサ１６，２６は、光源としてのＬＥＤアレイから原稿Ｄ１の画像情報面に光を照射し、画像情報面で反射した反射光をレンズでセンサ素子に結像して画像情報を読取るものである。
【００２０】
以下、画像読取部１０がＡＤＦ１１によって原稿Ｄ１を給送しながら原稿Ｄ１から画像情報を読取る動作（流し読み動作）について説明する。まず、操作者が原稿Ｄ１を原稿トレイ１４に載置する。このとき、原稿Ｄ１の先端位置が原稿ストッパ２０によって規制されると共に、原稿有無センサ２１によって原稿Ｄ１が検知され、制御部８０が原稿の存在を認識する。
【００２１】
そして、操作者が不図示の操作部を介して読取開始を指示すると、不図示の駆動部から供給される駆動力によって原稿ストッパ２０が押し下げられ、ピックアップローラ１７によって原稿Ｄ１が分離ローラ１８と分離パッド１９の間の分離部まで搬送される。すると、分離パッド１９によって原稿Ｄ１が他の原稿から分離され、最上位の原稿Ｄ１が分離ローラ１８によって搬送される。分離された原稿Ｄ１は、搬送ローラ対２３によって原稿搬送路２２に沿って搬送され、読取センサ１６，２６による読取位置へ向けて搬送される。
【００２２】
その後、原稿エッジセンサ２５により原稿Ｄ１の先端部が検知されると、原稿Ｄ１の先端部が原稿エッジセンサ２５の検知位置から所定量搬送されるタイミングで読取センサ１６，２６による画像情報の読取りが開始される。スキャナ部１２に配置された読取センサ１６は原稿Ｄ１の第１面（表面）から画像情報を読取り、ＡＤＦ１１に配置された読取センサ２６は原稿Ｄ１の第１面とは反対の第２面（裏面）から画像情報を読取る。読取センサ１６，２６の読取位置を通過した原稿Ｄ１は、排出ローラ対２４に向かって搬送される。そして、原稿エッジセンサ２５により原稿Ｄ１の後端部が検知されると、原稿Ｄ１の後端部が原稿エッジセンサ２５の検知位置から所定量搬送されるタイミングで読取センサ１６、２６による画像情報の読取りが終了する。そして、原稿Ｄ１は、排出ローラ対２４によって排出トレイ２９へ排出される。このような読取動作は、原稿トレイ１４に載置された原稿が存在しないことが原稿有無センサ２１によって検知されるまで繰り返される。
【００２３】
なお、画像読取部１０は、スキャナ部１２の原稿台ガラスに載置された原稿から画像情報を読取る動作（固定読み動作）を実行可能である。この場合、原稿台ガラスに原稿が静置された状態で、読取センサ１６が原稿台ガラスに沿って副走査方向（図中左右方向）に移動することで、原稿から画像情報が読取られる。
【００２４】
［読取部の詳細構成］
ここで、流し読み動作の際に原稿が走査されて画像情報が読取られる読取部の構成について、図３を用いて説明する。図３は、図１にＸで示す領域の拡大図である。各読取センサ１６，２６は、導光体１６１，２６１と、レンズアレイ１６２，２６２と、撮像素子１６３，２６３とを備えている。読取センサ１６，２６は、光源からの光を導光体１６１，１６２によって原稿搬送路２２へ向けて照射し、原稿からの反射光を撮像素子１６３，２６３に結像して光電変換することで画像情報を取得する。
【００２５】
以下、原稿搬送方向における第１の読取センサ１６の読取位置、即ちレンズアレイ１６２の光軸位置を第１読取位置Ｐａとし、第２の読取センサ２６の読取位置、即ちレンズアレイ２６２の光軸位置を第２読取位置Ｐｂとする。読取部における原稿搬送方向（図中右方向）は、原稿となるシートのシート搬送方向に相当し、原稿搬送路２２はシート搬送路に相当する。また、原稿搬送方向に直交する方向（図中奥行方向）を原稿の幅方向とし、原稿搬送方向及び原稿の幅方向に直交する方向（図中上下方向）を原稿の厚さ方向とする。
【００２６】
第１の読取センサ１６は、キャリッジ１６０に支持されている。キャリッジ１６０は、スキャナ部１２の本体フレームに対して副走査方向に移動可能であり、固定読み動作の際に読取センサ１６を原稿台ガラスの下方を通して副走査方向に移動させる。スキャナ部１２の本体フレームには、第１読取位置Ｐａにおいて読取センサ１６を覆うコンタクトガラス３０が取付けられている。また、読取センサ１６とキャリッジ１６０との間には、読取センサ１６をコンタクトガラス３０へ向けて付勢するバネ等の押圧部材３１が配置されている。読取センサ１６は、流し読み動作の場合、透明部材であるコンタクトガラス３０を通して原稿Ｄ１の第１面から画像情報を読取る。
【００２７】
第２の読取センサ２６は、ホルダ２７に収容され、原稿搬送路２２に対して第１の読取センサ１６とは反対側に配置されている。ホルダ２７は、読取センサ２６の収容空間を形成する収容部２７ａと、収容部２７ａに支持された支持枠部２７ｂとを有し、支持枠部２７ｂには透過部としてのコンタクトガラス２８が嵌め込まれている。コンタクトガラス２８は、対向部材であるコンタクトガラス３０との間に原稿搬送路２２を形成している。ホルダ２７は、ＡＤＦ１１のフレーム体であるフレーム１１０により、第２読取位置Ｐｂにおける原稿の厚さ方向に揺動可能に支持されている。ホルダ２７とフレーム１１０との間には、ホルダ２７をコンタクトガラス３０へ向けて付勢する付勢手段として、バネ等の押圧部材３２が配置されている。読取センサ２６は、流し読み動作の際に、コンタクトガラス２８を通して原稿Ｄ１の第２面から画像情報を読取る。
【００２８】
なお、ホルダ２７には、第１読取位置Ｐａにおいて第１の読取センサ１６に対向する白基準板３３が取付けられている。白基準板３３は、白色等の明度の高い部材であり、読取センサ１６による読取画像の背景となる。即ち、ホルダ２７は、第２の読取センサ２６を保持する保持部材であると共に、第１の読取センサ１６に対向する対向部としてのコンタクトガラス２８及び白基準板３３を備え、読取センサ１６に対して揺動可能な揺動部材の一例でもある。
【００２９】
ところで、流し読み動作における排出ローラ対２４の周速は、搬送ローラ対２３の周速に比べて大きく設定されている（図１参照）。言い換えると、読取部の上流に配置される第１搬送ローラ対の周速が、読取部の下流に配置される第２搬送ローラ対の周速に比べて小さくなるように設定されている。これにより、搬送ローラ対２３と排出ローラ対２４との間における原稿Ｄ１の撓みやシワが低減され、搬送動作の安定性向上及び読取画像の画質向上を図ることができる。なお、搬送ローラ対２３及び排出ローラ対２４は、いずれも原稿となるシートを搬送するシート搬送手段の一例であり、搬送ベルト等の他の搬送部材を用いてもよい。
【００３０】
一方、図３に示すように、コンタクトガラス２８を装着したホルダ２７と、固定ガイドのリブ１１１とによって構成されるガイド面は、図中下方へ向かって凸に、即ち原稿Ｄ１の第１面が凸状となるように湾曲した形状を有する。言い換えると、読取センサ２６の上流に位置する搬送ローラ対２３と、読取センサ２６の下流に位置する排出ローラ対２４との間で（図１参照）、原稿搬送路２２には原稿Ｄ１の第１面が凸状となるように湾曲したガイド面が配置されている。従って、上述のように排出ローラ対２４の周速を搬送ローラ対２３の周速より大きく設定した場合には、搬送ローラ対２３と排出ローラ対２４との間で原稿Ｄ１に発生する張力により、原稿Ｄ１がホルダ２７を上方に押圧することになる。
【００３１】
ここで、図３に示すように、ホルダ２７に対して原稿搬送方向の下流に隣接する位置には、ＡＤＦ１１のフレーム１１０に固定された固定ガイド１１２が設けられている。本実施例における固定ガイド１１２は、このような張力に抗して原稿Ｄ１の搬送経路を規制し、ホルダ２７が必要以上にコンタクトガラス３０から離間することを規制可能である。
【００３２】
図４に第１の参考構成として示すように、フレーム１１０に上記固定ガイド１１２と同じ位置で原稿Ｄ１を案内するガイド部材が設けられていない構成では、図５に示すように、原稿Ｄ１によってホルダ２７が持ち上げられてしまう。この場合、第２読取位置Ｐｂにおけるコンタクトガラス２８，３０の間の間隔が広がり、読取センサ２６と原稿Ｄ１との間の距離Ｌｂが不安定になることが考えられる。結果として、読取センサ２６によって読取られた画像の画質が低下する可能性がある。また、ホルダ２７の姿勢が変化することにより、第１の読取センサ１６とコンタクトガラス２８と距離が変動し、読取センサ１６によって読取られた画像の画質が低下する可能性がある。
【００３３】
一方、本実施例の構成では、固定ガイド１１２の作用により、原稿Ｄ１にホルダ２７が押圧された場合であっても、固定ガイド１１２とコンタクトガラス３０の間のクリアランスＺを超えてコンタクトガラス３０から離間することが規制される。また、排出ローラ対２４と搬送ローラ対２３の周速差に限らず、装置の振動や原稿の剛性等の他の要因によりホルダ２７に外力が加わる場合においても、固定ガイド１１２の作用により、ホルダ２７がコンタクトガラス３０から大きく離間することが規制される。このため、読取センサ１６，２６による読取画像の画質を安定させることができる。また、ホルダ２７の姿勢が安定してコンタクトガラス２８，３０の間隔が均一に近い状態が保持されることから、原稿詰まりの可能性を低減することができる。
【００３４】
図６に示すように、固定ガイド１１２は、原稿搬送方向に沿って延びる複数のリブ１１１を有し、これらのリブ１１１はホルダ２７の支持枠部２７ｂに設けられた凹部２７３に係合している。即ち、ホルダ２７は、凹部２７３がリブ１１１に組み合わさった状態で、原稿の厚さ方向に揺動可能である。リブ１１１は、固定ガイドに設けられる第１凹凸部に相当し、凹部２７３は、保持部材に設けられ第１凹凸部に組み合わさる第２凹凸部に相当する。
【００３５】
支持枠部２７ｂは、コンタクトガラス３０に対向し幅方向から視てコンタクトガラス３０と略平行に延びる平面部２７１と、平面部２７１から原稿搬送方向の下流へ向かってコンタクトガラス３０から離間する方向に傾斜した傾斜部２７２と、を備えている。平面部２７１及び傾斜部２７２は、原稿の第２面を案内するガイド面を構成している。凹部２７３は、平面部２７１及び傾斜部２７２に亘る凹形状として形成されている。また、リブ１１１は、傾斜部２７２の傾斜方向に沿って延びており、それぞれ凹部２７３に入り込むように配置されている。
【００３６】
図７に第２の参考構成として示すように、ホルダ２７及び固定ガイド１１２に互いに組み合わさる凹凸形状を配置せず、コンタクトガラス２８から固定ガイド１１２へと直接的に原稿が受け渡される構成では、原稿詰まりが生じる可能性がある。即ち、この構成では、原稿Ｄ１の前端、即ち原稿搬送方向における下流端が図中上方へカールしている場合に、原稿Ｄ１の前端がホルダ２７と固定ガイド１１２との間の隙間に挟まってしまうことが考えられる。なお、図７にはホルダ２７の支持枠部の一部を除去した例を示しているが、凹部が形成されていない支持枠部を固定ガイド１１２に当接するように配置したとしても、原稿詰まりが生じる可能性がある。即ち、ホルダ２７と固定ガイド１１２の境界が幅方向に延びる直線状となる構成では、境界面の微小な段差や隙間に原稿Ｄ１の前端が引っ掛かってしまう可能性がある。
【００３７】
一方、本実施例の構成では、固定ガイド１１２に設けられた複数のリブ１１１がそれぞれホルダ２７の凹部２７３に入り込むように配置されている。このため、原稿Ｄ１の前端がホルダ２７と固定ガイド１１２との境界に引っ掛かることを防いで、ホルダ２７から固定ガイド１１２へと原稿が滑らかに受け渡される。即ち、第２の読取センサ２６を保持する保持部材としてのホルダ２７がフレーム１１０に対して揺動可能な構成において、原稿搬送の安定性向上を図ることができる。また、第１の読取センサ１６に対向する対向部としてのコンタクトガラス２８がフレーム１１０に対して揺動可能な構成において、原稿搬送の安定性向上を図ることができる。
【００３８】
なお、本実施例では、第１凹凸部がリブ状部材であるリブ１１１によって構成された櫛歯状であり、第２凹凸部がこれに係合する凹形状である凹部２７３によって構成されるものとして説明したが、第１凹凸部及び第２凹凸部の形状は適宜変更可能である。例えば、リブ状部材をホルダ２７に配置し、これに係合可能な凹形状を固定ガイド１１２に配置してもよい。また、ホルダ２７及び固定ガイド１１２の境界を鋸歯状又は矩形波状としてもよい。要するに、第１凹凸部が幅方向における複数の位置に形成されたシート搬送方向の凹凸を有し、第２凹凸部がこれに組み合わさる形状を有する構成であればよい。
【００３９】
また、図６に示すように、幅方向におけるホルダ２７の両端部には、第１突起部２７４，２７４が設けられ、ＡＤＦ１１のフレーム１１０には、第１突起部２７４，２７４の外側に第２突起部１１３，１１３が設けられている。これらの突起部１１３，２７４は、ＡＤＦ１１が閉じた状態において、いずれもコンタクトガラス３０に当接するように配置されている。第１の当接部としての第１突起部２７４は、ＡＤＦ１１が閉じた状態でコンタクトガラス３０に当接することにより、２枚のコンタクトガラス２８，３０の間隔を規定する。また、第２の当接部としての第２突起部１１３は、ＡＤＦ１１が閉じた状態でコンタクトガラス３０に当接することにより、リブ１１１とコンタクトガラス３０との間のクリアランスＺ（図３参照）を規定する。このような構成により、ホルダ２７が固定ガイド１１２に対して揺動可能な構成において、ホルダ２７及び固定ガイド１１２のそれぞれをコンタクトガラス３０に対して適切な位置に位置決めすることができる。
【００４０】
［他の実施形態］
本実施例では、画像読取部１０が原稿搬送路２２を挟んで対向する２つの読取センサ１６，２６を備えるものとして説明したが、本技術は２つの読取センサが原稿搬送方向に関して異なる位置に配置される構成に適用してもよい。また、１つの読取センサを備え、原稿の片面から画像情報を読取可能な画像読取装置に本技術を適用してもよい。即ち、上記コンタクトガラス３０は揺動可能な保持部材に対向する対向部材の一例であり、他の読取センサ（１６）に用いられる透明部材とは限らない。また、上記ホルダ２７は透明部材に対向する対向部（２８）を備えた揺動部材の一例であり、他の読取センサ（２６）を保持する保持部材とは限らない。
【００４１】
これらの場合において、読取センサ（２６）を保持する保持部材をフレーム体に対して揺動可能とする構成では、保持部材に隣接する固定ガイドに第１凹凸部を配置し、保持部材に第１凹凸部に組み合わさる第２凹凸部を配置すればよい。また、読取センサ（１６）に対向する対向部を有する揺動部材をフレーム体に対して揺動可能とする構成では、揺動部材に隣接する固定ガイドに第１凹凸部を配置し、揺動部材に第１凹凸部に組み合わさる第２凹凸部を配置すればよい。このような構成により、固定ガイドによって読取センサと原稿の距離を安定させつつ、固定ガイドと保持部材又は揺動部材との境界に原稿が引っ掛かる可能性を低減することができる。
【００４２】
また、本実施例では、第１凹凸部（１１１）及び第２凹凸部（２７３）を原稿搬送方向における読取センサ２６の下流に配置した構成について説明したが、読取センサ２６の上流に配置してもよい。また、画像読取部１０は画像読取装置の一例であり、例えば印刷機能を備えた画像形成装置とは独立に用いられる装置であってもよい。
【符号の説明】
【００４３】
１０…画像読取装置（画像読取部）／１６，２６…読取センサ／２３…シート搬送手段、第１搬送ローラ対（搬送ローラ対）／２４…シート搬送手段、第２搬送ローラ対（排出ローラ対）／２７…保持部材、揺動部材（ホルダ）／２７ａ…収容部／２７ｂ…支持枠部／２８…透過部、対向部（コンタクトガラス）／３０…対向部材、透明部材（コンタクトガラス）／３１，３２…付勢手段（押圧部材）／６０…画像形成手段（画像形成エンジン）／１００…画像形成装置（プリンタ）／１１０…フレーム体、開閉フレーム（フレーム）／１１１…第１凹凸部、リブ状部材（リブ）／１１２…固定ガイド／２７１…平面部／２７２…傾斜部／２７３…第２凹凸部、凹形状（凹部）／Ｄ１…シート（原稿）
【図１】
2018125616.tif 000003
【図２】
2018125616.tif 000004
【図３】
2018125616.tif 000005
【図４】
2018125616.tif 000006
【図５】
2018125616.tif 000007
【図６】
2018125616.tif 000008
【図７】
2018125616.tif 000009